(57)【要約】  本発明は電化製品（２０）を取り付けるためのマウント（１０，１２，１４）に関する。本発明は、マウントを含むスタンド、電化製品のための締結手段（６０）、締結手段を含む電化製品、電化製品を取り付けるためのツールキット（２００）、及び、電化製品を取り付けるための方法にも関する。マウントは、ベース（３０；３２；３４）を表面（１００）に接続し或いはベースをスタンドに接続するための接続手段（５０）を含むベース（３０；３２；３４）を含む。ベースは、電化製品の重量を表面の一部に亘って或いはスタンドに分配するよう構成される。ベースは、ベースから延びる取付手段を更に含み、その場合には、取付手段は、電化製品をベースと実質的に平行に取り付けるが、ベースに対して実質的に垂直な傾斜軸（７０）の周りで電化製品が傾斜されるのを可能にするために、電化製品の対応する締結手段と係合するよう配置される。本発明に従ったマウントの効果は、電化製品を傾斜することを介してマウントの如何なる誤整列をも矯正し得ることである。よって、表面又は壁への電化製品の取付けを簡略化し得る。
2012503748.tif 000002
【特許請求の範囲】
【請求項１】
電化製品を取り付けるためのマウントであって、
接続手段を含むベースを含み、前記接続手段は、前記ベースを表面に接続し、或いは、前記ベースをスタンドに接続し、前記ベースは、前記電化製品の重量を前記表面の一部に亘って或いは前記スタンドに分配するために構成され、前記ベースは、前記ベースから延びる取付手段を更に含み、
前記取付手段は、前記電化製品を前記ベースと実質的に平行に取り付けるが、前記ベースに対して実質的に垂直な傾斜軸の周りで前記電化製品が傾斜されるのを可能にするために、前記電化製品の対応する締結手段と係合ために配置される、
マウント。
【請求項２】
当該マウントは、前記ベースに対する前記傾斜軸の周りでの前記電化製品の所定位置を維持するために配置される摩擦手段を更に含む、請求項１に記載のマウント。
【請求項３】
前記ベースから延びる前記取付手段は、前記傾斜軸に対して回転対称に構成される、請求項１又は２に記載のマウント。
【請求項４】
当該マウントは、前記電化製品が前記取付手段上に係合されるときに前記電化製品を係止するための係止手段を更に含む、請求項１、２、又は、３に記載のマウント。
【請求項５】
前記係止手段は、係止中に前記電化製品の傾斜を許容し続けるよう、前記電化製品内の或いは前記締結手段内の係止凹部と協働するために前記ベースから延びる取外し可能なラッチを含む、請求項４に記載のマウント。
【請求項６】
当該マウントは、前記電化製品に電力及び／又はデータストリームを提供するための接続部を含む、請求項１乃至５のうちのいずれか１項に記載のマウント。
【請求項７】
前記ベースの前記接続手段は、複数の孔を含み、該複数の孔は、固定手段が前記孔を通過し、且つ、前記ベースを前記表面又は前記スタンドに固定するために前記表面又は前記スタンドに固定されることを可能にする、請求項１乃至６のうちのいずれか１項に記載のマウント。
【請求項８】
電化製品を支持するためのスタンドであって、当該スタンドは、請求項１乃至７のうちのいずれか１項に記載のマウントを含む、スタンド。
【請求項９】
電化製品のための締結手段であって、当該締結手段は、請求項１乃至７のうちのいずれか１項に記載のマウントと係合するよう構成され、或いは、請求項８に記載のスタンドに取り付けられる前記マウントと係合するよう構成される、締結手段。
【請求項１０】
当該締結手段は、前記取付手段にフックで引っ掛かることによって前記取付手段に係合するよう構成される、請求項９に記載の締結手段。
【請求項１１】
当該締結手段は、前記電化製品内の凹部を含む、請求項９又は１０に記載の締結手段。
【請求項１２】
当該締結手段は、前記取付手段が前記ベースと実質的に平行な方向に所定の長さに沿って前記締結手段を通じて摺動することを可能にするスリットを含む、請求項９、１０、又は、１１に記載の締結手段。
【請求項１３】
請求項９乃至１１のうちのいずれか１項に記載の締結手段を含む電化製品。
【請求項１４】
電化製品を表面に取り付けるためのツールキットであって、
−  請求項１乃至７のうちのいずれか１項に記載のマウントと、
−  前記マウントを前記表面に締結するための固定手段と、
−  ポスターとを含み、該ポスターは、使用者が前記電化製品に関する前記固定手段のための前記表面上の固定地点の場所を決定するのを可能にするために、前記電化製品及び前記電化製品に関する固定手段の所要場所の両方の輪郭を含む、
ツールキット。
【請求項１５】
請求項１乃至７のうちのいずれか１項に記載のマウントを介して電化製品を表面に取り付けるための方法であって、
−  前記電化製品の輪郭を描く並びに前記マウントを前記表面上に締結するための固定手段の所要場所を示す固定地点の輪郭を描くポスターを使用して、前記電化製品を取り付けるための前記表面上の場所を決定すること、
−  前記決定される場所に前記マウントを締結すること、
−  前記締結手段を前記マウントの前記取付手段と係合することを介して前記電化製品を取り付けること、及び、
−  前記傾斜軸上で前記電化製品を傾斜することによって前記電化製品の傾斜を適合することを含む、
方法。
【発明の詳細な説明】
【技術分野】
【０００１】
本発明は電化製品を取り付けるためのマウント（取付具）に関する。
【０００２】
本発明は、マウントを含むスタンドにも関する。更に、本発明は、電化製品のための締結手段や、締結手段を含む電化製品に関する。本発明は、電化製品を取り付けるためのツールキットや、電化製品を取り付けるための方法にも関する。
【背景技術】
【０００３】
ディスプレイ装置を取り付けるなどのための電化製品用のウォールマウント自体は既知であり、実質的に全ての種類のディスプレイ装置のために使用されている。ＬＣＤ及び／又はプラズマディスプレイ装置のようなフラットパネルディスプレイ装置の導入以来、ディスプレイ装置のウォールマウントは、より一層普及している。
【０００４】
周知のマウントは、例えば、ディスプレイ装置の位置を変更するための片持ちアームを有する。そのようなマウントは、陰極線管ディスプレイ装置及びフラットパネルディスプレイ装置の双方のために開発されている。しかしながら、現在のところ、フラットパネルディスプレイ装置のウォールマウント（壁取付け）のための新しい傾向が進展しており、そこでは、フラットパネルディスプレイ装置は、好ましくは、壁から比較的小さい距離で壁に実質的に平坦に固定され、それは壁から離れた距離でのディスプレイ装置の「フローティング」としても既知である。そのような構造では、片持ちアームは、典型的には、構造の一部ではない。何故ならば、それはフラットパネルディスプレイ装置を壁から遠く離れ過ぎた状態で立たせるからである。そのような構成では、フラットパネルディスプレイ装置は、フラットパネルディスプレイ装置を壁の特定位置に実質的に固定する比較的剛的な取付けシステムを使用して取り付けられる。周囲照明が壁の残部に亘って均等に広がり、よって、所望の環境効果を作り出すよう、フラットパネルディスプレイ装置自体によって作り出される周囲照明を使用するとき、そのような位置決めは特に有益である。
【０００５】
所謂「フローティング」効果を生み出す他のウォールマウント又はウォールマウントブラケットがＵＳ２００７／０５７１３３に示されている。そのようなウォールマウント装置は様々な部品から構成され、それらの一部はフラットパネルディスプレイ装置自体に取り付けられる必要があるのに対し、他の部品は壁に取り付けられる必要がある。
【０００６】
フラットパネルディスプレイ装置のためのこれらの既知のウォールマウントブラケットの不利点は、フラットパネルディスプレイ装置を正しく取り付けるために、それらが相当な技能を要求することである。
【発明の概要】
【発明が解決しようとする課題】
【０００７】
マウントの据付けの複雑さが低減される電化製品用マウントを提供することが本発明の目的である。
【課題を解決するための手段】
【０００８】
本発明の第一の特徴によれば、その目的は、請求項１において請求されるような電化製品を取り付けるためのマウントで達成される。本発明の第二の特徴によれば、その目的は、請求項８において請求されるような電化製品を支持するためのスタンドで達成される。本発明の第三の特徴によれば、その目的は、請求項９において請求されるような電化製品のための締結手段で達成される。本発明の第四の特徴によれば、その目的は、請求項１３において請求されるような電化製品で達成される。本発明の第五の特徴によれば、その目的は、請求項１４において請求されるような電化製品を取り付けるためのツールキットで達成される。本発明の第六の特徴によれば、その目的は、請求項１５において請求されるような電化製品を表面の上に取り付けるための方法で達成される。
【０００９】
本発明の第一の特徴に従ったマウントは、接続手段を含むベースを含み、接続手段は、ベースを表面に接続し或いはベースをスタンドに接続し、ベースは電化製品の重量を表面の一部に亘って或いはスタンドに分配するよう構成され、ベースはベースから延びる取付手段を更に含み、
取付手段は、電化製品をベースと実質的に平行に取り付けるが、ベースに対して実質的に垂直な傾斜軸の周りで電化製品が傾斜されるのを可能にするために電化製品の対応する締結手段と係合するよう配置される。
【００１０】
本発明に従ったマウントの効果は、ベースに対して実質的に垂直な傾斜軸の周りで電化製品を傾斜し得ることである。一般的には、マウントが表面、例えば、壁に固定されるとき、ベースは壁と実質的に平行に配置される。これは電化製品が壁に対して実施的に垂直に配置される傾斜軸の上で傾斜されることを可能にする。電化製品がマウントに取り付けられるときに電化製品が傾斜軸の周りで傾斜されるという能力の故に、表面に対するマウントの固定は完全に水平である必要がない。何故ならば、電化製品を傾斜することによって、表面に対するマウントのある程度の水平でない締結を矯正し得るからである。よって、例えば、表面に電化製品を取り付けることの困難性は、実質的に低減される。
【００１１】
マウントの一部としての取付手段は、電化製品の対応する締結手段と協働するよう配置される。このようにして、取付手段及び締結手段は、好ましくは、電化製品をマウントに締結するために互いに協働する別個の実在である。よって、取付手段は、対応する締結手段と共に、プラグ及びソケットと比較可能な方法で協働する実在を形成する。
【００１２】
電化製品は、例えば、液晶ディスプレイ装置、有機発光ダイオードディスプレイ装置、又は、プラズマディスプレイ装置のようなディスプレイ装置である。代替的に、電化製品は、例えば、オーディオ／ビデオプレーヤ、スピーカシステム、空調装置、コンピュータ、照明装置、又は、他の電化製品であり得る。一般的に、電化製品は、表面又はスタンドに締結されるべき相当な重量及び／又は価値を提示する。そのような比較的高重量で高価な電化製品のこの締付けは、好ましくは、確実に行われなければならない。よって、電化製品を壁に安全に取り付けるために、この重量を表面の一部に亘って分配する接続手段を有するベースの使用が必要とされる。そのようなフラットパネルディスプレイ装置の人気は増大しているので、表面に対するディスプレイ装置の取付けは、安定性及び安全性を維持しながら簡略化されるのが好ましい。本発明に従ったマウントの使用は、電化製品の安全な取付けを可能にすると同時に、マウントを表面に固定することの困難性を減少する。
【００１３】
既知のウォールマウントブラケットにおいて、電化製品はウォールマウントブラケットに比較的剛的に固定される。既知のウォールマウントブラケットではある程度の傾斜が可能であり得るが、この傾斜は一般的には壁と実質的に平行に配置される軸の周りであり、例えば、ディスプレイ装置が相当な高さで壁に取り付けられるとき、ディスプレイ装置を下向きに傾斜するために使用される。この傾斜は使用者のためにディスプレイ装置の可視性を向上することが意図される。しかしながら、既知のウォールマウントブラケットを提供するときには、ウォールマウントブラケットの壁上での位置は、比較的正確に行われなければならない。何故ならば、より小さな調節は、不可能ではないとしても、比較的困難であり得るからである。本発明のマウントにおいて、取付手段はベースから延び、ベースに対して実施的に垂直に配置される傾斜軸の周りで電化製品を依然として傾斜し得るような方法で、電化製品の締結手段と係合する。マウントが壁に接続される実施態様において、傾斜軸は壁に対して実質的に垂直に配置される。電化製品がマウントに取り付けられた後に電化製品を傾斜し得る能力の故に、マウントは必ずしも水平である必要はない。何故ならば、電化製品の傾斜を介して、あらゆる非平行を矯正し得るからである。
【００１４】
電化製品が傾斜軸の周りで依然として傾斜可能である、マウントに取り付けられるマウント取付け電化製品を得るために、当業者によって多くの異なる形状の取付手段を適用し得る。例えば、電化製品がマウントに回転可能に取り付けられることを可能にするよう、凹部の形状の締結手段と係合するために、ベースから延びる短く丸い又はほぼ丸いロッドを使用し得る。ロッドを丸い又はほぼ丸いチューブと或いはフック又は中空パイプ又は交差パイプと交換し得る。取付け後に電化製品を傾斜し得る能力の技術的要件は、マウントの実施態様を限定し、そのような傾斜可能な取付けを得るために何が構築されるべきかを当業者に明らかに示す。
【００１５】
発明者は電化製品の取付けが比較的困難であることを認識した。本発明に従ったマウントを使用することは、あらゆる締結誤差を矯正するために、電化製品がマウントと係合した後に電化製品を傾斜することを可能にする。これは電化製品を表面に取り付けるのに必要な技能を相当に削減する。
【００１６】
更なる利益は、本発明に従ったマウントがフラットパネルディスプレイ装置の形状の電化製品が壁に極めて近接して取り付けられることを可能にすることである。特に電化製品のハウジングの後壁にある凹部を構成する締結手段を使用するときには、電化製品を表面に極めて近接して位置付け得る。既知のマウントは幾つかの素子で構成され、それらは、組み立てられるとき、フラットパネルディスプレイ装置の後壁を表面から相当な距離に配置する。これは好ましくない。何故ならば、それは人目に付くマウントをもたらすからである。更に、そのような相当な距離はフラットパネルディスプレイ装置の利点の一部を奪い取る。セット製造業者はフラットパネルディスプレイ装置を可能な限り薄く製造するためにあらゆる努力を行うが、既知のマウントはフラットパネルディスプレイ装置を壁から相当な距離に締結し得るだけであり、フラットパネルディスプレイ装置を依然として比較的厚く見せる。本発明に従ったマウントを適用するときには、特にフラットパネルディスプレイ装置のハウジングの後壁内の凹部である締結手段を使用するときには、ディスプレイ装置の後壁と表面との間の距離を相当に減少することができ、例えば、２０ミリメートル未満であり得るし、１６ミリメートル以下ですらあり得る。
【００１７】
一層更なる利益は、マウントのコスト削減である。本発明によれば、ベースプレート及び実質的に対称的な延長部だけが必要とされ、その場合には、延長部はディスプレイ装置のような電化製品の重量を支え得る。ベースプレートは実質的に如何なる形状を有してもよく、ベースプレートを実質的に固体材料から製造し得る。これは比較的平坦でありながら電化製品の重量を支えるのに依然として十分に強力な設計を可能にする。よって、マウントを比較的安価に製造し得る。更に、電化製品の締結手段は、電化製品の後壁内の凹部であってもよく、そのようにして、電化製品のハウジング内に実質的に一体化される。電化製品を取り付け得るために電化製品に取り付けられなければならない追加的なマウント又はブラケットは要求されない。現在のウォールマウントは比較的高価であり、フラットパネルディスプレイ装置のコストは減少しているので、ウォールマウントは、ウォールマウントディスプレイ装置の全体コストに相当に寄与している。マウントの複雑性を減少することにより並びにマウントを締結する困難性を減少することにより本発明に従ったマウントのコストを削減することによって、本発明に従ったマウントが使用されるときには、相当なコスト削減が得られる。
【００１８】
本マウントの更なる利益は、マウントに取り付けられるディスプレイ装置を傾斜し得ることである。この傾斜は、傾斜軸の周りで±２０度の範囲に亘って或いは傾斜軸の周りで±１５度の範囲に亘って可能であり得る。これはコネクタを電化製品に適用し或いは追加するときに有益であり得る。電化製品が、例えば、コネクタがディスプレイ装置の底部に適用されるディスプレイ装置であるとき、更なる電化製品をコネクタに接続することは比較的困難であり得る。ディスプレイ装置をベースに対して実質的に垂直な傾斜軸の周りで安全に傾斜し得るとき、コネクタへの更なる電化製品の接続を単純化し得る。メモリスティック又はＵＳＢスティック上のデジタルコンテンツを表示するためにも本ディスプレイ装置を使用し得る。また、これらの用途のために、ディスプレイ装置の底部にポートを位置付け得る。ディスプレイ装置の安全な傾斜の故に、これらのデジタルポートの使用は、より便利且つ安全であり得る。
【００１９】
ベースを表面に接続するための接続手段は、例えばベースを固定するためにネジを壁内に適用する孔を壁に接続する如何なる手段でもあってもよい。代替的に、ベースをスタンドに接続する接続手段は、ベースをスタンドに固定するためにスタンドに溶接されてディスプレイ装置がスタンド上に取り付けられるのを可能にする溶接片であってもよい。一層更に代替的に、接続手段は、比較的高重量の電化製品を保持するのに十分な程に強力なある種の接着剤であってもよい。
【００２０】
マウントの１つの実施態様において、マウントは、ベースに対する傾斜軸の周りでの電化製品の所定位置を維持するよう配置される摩擦手段を更に含む。この実施態様の利益は、電化製品が摩擦手段に対して比較的剛的に存在し、マウントにソリッドな感覚をもたらすことである。特にフラットパネルディスプレイ装置を取り付けるとき、フラットパネルディスプレイ装置は、好ましくは、傾斜軸の周りで直ぐに揺動し始めてはならない。摩擦手段を使用することによって、電化製品のあらゆる不安定な揺動が防止され、それは電化製品を壁又はスタンドに取り付けるためにマウントを使用するときの便宜を向上する。
【００２１】
摩擦手段を取付手段から離間して配置することができ、例えば、電化製品が位置するベース上のゴム材料又はシリコン材料の縁として摩擦手段を製造し得る。電化製品と摩擦手段との間の接触の故に、摩擦手段は電化製品の現在位置を実質的に維持する。更に、摩擦手段は電化製品を傾斜するときに使用者がある程度の力を適用することを要求し、傾斜の精度を向上し、電化製品が使用者によって適用される傾斜位置を維持するのを可能にする。摩擦手段は、代替的に、延在する取付手段と摩擦手段との間の係合表面の周りに配置される摩擦材料であり得る。また、そのような実施態様では、摩擦手段は電化製品が不安定に移動し始めないことを保証し、それは使用の便宜を向上する。ゴムではなくシリコンを使用するときの利益は、ゴム材料が時間の経過と共に有するような亀裂をシリコン材料が得ないことであり、シリコン材料は概してゴム材料のように容易に変色しないことである。
【００２２】
電化製品が傾斜中にベースを引っ掻くことを防止するために、摩擦手段はベースから少なくとも部分的に延長してもよい。そのような実施態様では、摩擦手段は電化製品を傷付けないための安全予防措置である。
【００２３】
マウントの１つの実施態様において、ベースから延びる取付手段は、傾斜軸に対して回転対称に構成される。この実施態様の利益は、それが例えば壁に対するマウントの取付けを実に単純化することである。取付手段の回転対称性の故に、マウントは、ベースが壁と実質的に平行に配置される限り、壁又はスタンドに取り付けられるときに基本的に如何なる向きを有してもよく、取付手段は壁から延び、電化製品の締結手段と係合可能であり、電化製品の安全な取付けを可能にする。例えば、電化製品が取付手段から単に滑り落ちるのを防止するためにマウントに適用される幾つかのラッチ及び／又は他の係止機構の故に、壁上のマウントの好適な向きがあり得る。しかしながら、そのような追加的なラッチ及び／又は他の係止機構を使用するときにも、マウントの取付けが壁に対するマウントの向きに関して相当な公差を有するよう、ラッチ及び／又は他の係止機構を容易に設計し得る。
【００２４】
マウントの１つの実施態様において、マウントは、電化製品が取付手段上に係合されるときに電化製品を係止するための係止手段を更に含む。この実施態様の利益は、電化製品が取付手段から滑り落ちることを防止する追加的な予防手段として既に示してある。特に電化製品に関して、そのような電化製品のコストは典型的には相当である。係止手段を追加することによって、マウントを壁に適用する容易さを維持しながら、電化製品の安全な取付けが改良される。
【００２５】
係止手段の１つの実施態様では、係止手段は、係止手段を係止し且つ／或いは離脱するために鍵を使用して適用される。そのような実施態様を盗難防止として有益に使用し得る。一般的に、マウントは比較的頑強であり、壁に確実に固定される。電化製品がマウント上に取り付けられるとき、壁にマウントを取り付けるために使用される締結具は実質的に手が届かないであろう。誰かが電化製品をマウントから取り外すことを係止手段が防止するならば、例えば、電化製品をひどく傷付けずに取り外すことを防止するならば、係止手段は盗難防止として作用する。鍵を使用しない電化製品の取外し、よって、相当な力を使用し且つ／或いは要求する取外しは電化製品を傷付け、よって、電化製品を泥棒による売却に適さなくする。締結具は手も届かないので、泥棒は壁からマウントをとても取り外し得ないであろう。マウントの締結具に手が届かない状態でマウントを取り外すことは比較的起こり得ない。何故ならば、マントの固定は概ね強力且つ徹底的だからである。マウントの頑強さの故に、マウントの損傷も比較的起こり得ない。よって、係止手段を係脱するために鍵を使用することは、マウントが盗難防止として使用されることを可能にする。
【００２６】
係止手段を係止するための鍵は、錠（ロック）内に嵌入するハードウェア鍵であり得る。代替的に、鍵は、例えば、電化製品を解放するよう電化製品のリモコンを介して或いはキーパッドを介して入力し得るコードであり得る。間違ったコードが入力されたとき或いは錠が破壊されたとき、アラームが作動される。
【００２７】
マウントの１つの実施態様において、係止手段は、係止中に電化製品の傾斜を許容し続けるよう、電化製品内の或いは締結手段内の係止凹部と協働するためにベースから延びる取外し可能なラッチを含む。この実施態様の利益は、それが電化製品の安全な傾斜を可能にすることである。よって、電化製品を据え付けるとき、電化製品は先ず取付手段と係合され、ラッチ及び／又は他の係止手段を使用して固定される。電化製品が固定された後、電化製品を傾斜することによる電化製品の位置決めに関する矯正が可能である。よって、傾斜及び正しい位置決めは、取付手段と電化製品との間の係合を確実にした後にのみ行われ、安全性を向上する。
【００２８】
上記に示されたように追加的なコネクタを接続するために電化製品を傾斜するときにもこれは当て嵌まる。ラッチ及び／又は他の係止手段の存在の故に、電化製品は取付手段と確実に係合され、電化製品の追加的なコネクタを安全に接続、再接続、又は、分離するために電化製品を安全に傾斜し得る。
【００２９】
電化製品を所定の傾斜角度に亘って傾斜し得るよう係止凹部のサイズを選択し得る。傾斜角度は、例えば、±２０度の範囲内であり得るし、±１５度の範囲内でさえあり得る。
【００３０】
マウントの１つの実施態様において、マウントは、電化製品に電力及び／又はデータストリームを提供するための接続部を含む。よって、マウントを壁に適用し、全ての電気接続をマウントに提供し得る。電化製品をマウントに接続するために極めて短いケーブルだけが必要とされ、それは電化製品のコストを削減し、且つ、多くのケーブルを避けることによって取り付けられる電化製品の美的外観を向上する。
【００３１】
代替的に、取付手段は、電化製品へのコネクタを構成し得るし、マウントから電化製品への電力及び／又はデータストリームを提供するよう配置し得る。そのような構成では、ケーブルは全く要求されず、取付手段への締結手段の係合は、ソケットとのプラグ係合をもたらす。
【００３２】
この実施態様の更なる利益は、電化製品を比較的容易に一時的に取り外し得ることである。テレビジョン信号又はデジタルビデオ信号のようなデータストリーム及び／又は電力のための接続部がマウントに統合されるので、マウントへのコネクタは分離されることが必要なだけであり、電化製品をマウントから単に取り外し、安全に保管し得る。電化製品が盗まれ得る可能性が比較的高いとき、これは有益であり得る。
【００３３】
マウントの１つの実施態様において、ベースの接続手段は、固定手段が孔を通過し且つベースを表面又はスタンドに固定するために表面又はスタンドに固定されることを可能にするための複数の孔を含む。表面に固定されるよう固定手段を通し得る複数の孔を使用することは、ベースが電化製品の重量を表面の一部に亘って分配することを可能にする。更に、孔は、好ましくは、何らかの穿孔公差を許容するように、固定手段よりも大きい寸法を有する。好ましくは、固定手段の形状は非対称的であり、相当な穿孔公差を許容し且つ表面と平行なベースのある程度の移動を許容するよう、スリットの形状さえ有し得る。
【００３４】
マウントを壁に固定するための孔は、孔間の距離が壁内のビーム間の規格化されたピッチと実質的に対応するよう、規格化されたピッチを有し得る。締結具がマウントを安全な場所に、例えば、壁のビーム内に固定するよう、マウントが壁の一部に固定されることを保証するために、これを有益に使用し得る。この規格化されたピッチは、３５０ミリメートルである。
【００３５】
本発明の第二の特徴によれば、その目的はマウントを含むスタンドで達成される。部屋内の如何なる場所にも配置されるようそのようなスタンドを使用し得るし、電化製品、例えば、フラットパネルディスプレイが部屋内の実質的に如何なる場所にも位置付けられることを可能にするよう部屋を通じて移動可能でさえあり得る。更に、スタンドの使用はマウントを部屋の壁に固定する必要を妨げる。
【００３６】
本発明の第三の特徴によれば、その目的は電化製品のための締結手段で達成され、締結手段は、マウント又はスタンドと係合するために構成される。
【００３７】
締結手段の１つの実施態様において、締結手段は、取付手段に引っ掛かることによって取付手段と係合するよう構成される。
【００３８】
締結手段の１つの実施態様において、締結手段は、電化製品内の凹部を含む。典型的には、凹部は電化製品の後壁に配置される。この実施態様の利益は、電化製品の後壁内の凹部の使用が電化製品を据え付ける人の努力を軽減することである。何故ならば、締結手段は電化製品の後壁内で既に実現されているからである。更に、この実施態様は別個の締結手段のコストも節約する。
【００３９】
この実施態様の更なる利益は、試行錯誤によって正しい場所を探すよりもむしろ、あらゆる異なるモデルの電化製品のために凹部の正確な場所を工場内で便利に決定し得ることである。好ましくは、凹部は電化製品の重心付近に位置付けられる。これは異なる電化製品のために異なり得るし、同じ電化製品の異なるモデルのためにさえも異なり得る。電化製品のケーシング内部に配置される追加的な電子機器が重心を移動して、凹部の正確な場所を予測するのを困難にし得る。あらゆる電化製品のために並びにあらゆる異なるモデルの電化製品のためさえにも凹部を工場内で適用させることによって、取付けの容易性が更に改良される。
【００４０】
そして、この実施態様の一層更なる利益は、前記されたように、電化製品の後壁内での凹部の実現が電化製品の後壁と電化製品が取り付けられる表面又は壁との間の距離が最小限化されることを可能にすることである。
【００４１】
締結手段の実施態様において、締結手段は、取付手段がベースと実質的に平行な方向に所定長さに沿って締結手段を通じて摺動することを可能にするためのスリットを含む。この実施態様の利益は、電化製品が壁と平行な方向に移動されるのをスリットが可能にすることであり、電化製品が壁に取り付けられた後に、好ましくは、ラッチ及び／又は他の係止手段を使用して電化製品をマウントに固定させた後に、追加的な矯正を可能にすることである。スリットは、湾曲した形状を有し、その場合、円弧は、円弧の最高地点が電化製品の重心に配置される電化製品の後壁にある最高地点にあるよう動作的に配置される。この故に、電化製品の自然な傾向は、それ自体で水平になることである。例えば、壁上の局所的な不規則性を矯正するよう、自然な傾向と比べて異なる方法で電化製品を取り付けるために、摩擦手段を使用し得る。
【００４２】
本発明の第四の特徴によれば、その目的は締結手段を含む電化製品で達成される。
【００４３】
本発明の第五の特徴によれば、その目的は電化製品を表面に取り付けるためのツールキットで達成され、ツールキットは、
−  マウントと、
−  マウントを表面に締結するための固定手段と、
−  ポスターとを含み、ポスターは、使用者が電化製品に関する固定手段のための表面上の固定地点の場所を決定するのを可能にするために、電化製品及び電化製品に関する固定手段の所要場所の両方の輪郭を含む。
【００４４】
このツールキットの利益は、表面、例えば、壁に対する電化製品の取付けを更に簡略化することである。ポスターは電化製品及び電化製品に関する固定手段の所要場所の両方の輪郭を含むので、使用者は電化製品が位置付けられるべき場所で壁上に一時的にポスターを貼り付け得る。テープを使用してポスターを壁に貼り付け得る。代替的に、ポスターは、例えば、その隅部に取り外し可能な接着剤を含んでもよく、ポスターを壁に一時的に貼り付けるために接着剤を使用し得る。ポスターを使用するならば、使用者は選択される位置が実際に正しい位置であるか否かを確認し得るし、ある距離から見られるとき及び／又は部屋の他の場所から見られるときにも、選択される位置が実際に正しい位置であるか否かを確認し得る。現在のポスター位置で表示される電化製品のための提案場所が良くない或いは改善されるべきであるならば、ポスターを異なる場所に移動し得るか或いはポスターの場所を採用し得る。よって、使用者は電化製品が選択される位置にどのように適合するかの十分な表示を取得し、よって、電化製品をどこに取り付けるかの十分な選択を行うことができる。特に電化製品がフラットパネルディスプレイ装置であるときには、フラットパネルディスプレイ装置が壁上で取り付けられるべき位置は注意深く選択されなければならず、フラットパネルディスプレイ装置を部屋の異なる位置からどのように良好に見ることができるかに依存する。現在のポスター位置が電化製品の所要位置を表すことに使用者が同意するや否や、使用者は、例えば、ポスター上に表示される場所に孔を切り込むことによって、固定手段の所要場所に印を付け、壁上の孔に印を付けなければならないだけである。代替的に、ポスターは所定場所に既に孔を有し、使用者はマーカを用いて壁上のこの場所に印を付ける必要があるだけであってもよい。印付き位置で、使用者は壁に対してマウントを締結する孔を穿孔し得る。傾斜軸の周りで電化製品を傾斜することによって、マウントの如何なる誤整列も後に矯正可能である。ポスターによって表示されるような固定手段の場所を使用して壁にマウントを固定した後、電化製品の締結手段、例えば、フラットパネルディスプレイ装置の後壁内の凹部を、フラットパネルディスプレイ装置を壁に取り付ける取付手段と係合し得る。フラットパネルディスプレイ装置の場所は、ポスターを使用して前述のように取り付けられるときには、ポスターの位置と実質的に等しく、フラットパネルディスプレイ装置は、ポスターによって表示されるのと同じ壁の表面を実質的に覆う。
【００４５】
上記の説明から、本発明に従ったマウントと共にポスターを使用することは、表面への電化製品の取付けを更に簡略化することが明らかであろう。
【００４６】
本発明の第六の特徴によれば、その目的はマウントを介して電化製品を表面に取り付けるための方法で達成され、当該方法は、
−  電化製品及びマウントを表面上に締結するための固定手段の所要場所を示す固定地点の両方の輪郭を描くポスターを使用して電化製品を取り付けるための表面上の場所を決定すること、
−  決定される場所にマウントを締結すること、
−  締結手段をマウントの取付手段と係合することを介して電化製品を取り付けること、及び、
−  傾斜軸上で電化製品を傾斜することによって電化製品の傾斜を適合することを含む。
【００４７】
本発明のこれらの及び他の特徴は、以下に記載される実施態様から明らかであり、以下に記載される実施態様を参照して解明される。
【図面の簡単な説明】
【００４８】
【図１】本発明に従ったマウントを概略的に示す平面図である。
【図２】本発明に従ったマウントを介して壁に取り付けられる電化製品を概略的に示す断面図である。
【図３Ａ】電化製品を取り付けるためのツールキットを示す説明図である。
【図３Ｂ】電化製品を取り付けるためにツールキットをどのように使用し得るかを示す説明図である。
【図３Ｃ】電化製品を取り付けるためにツールキットをどのように使用し得るかを示す説明図である。
【図４Ａ】マウントを壁にどのように取り付け得るかを示す説明図である。
【図４Ｂ】先ずどのように電化製品をマウントに固定し得るかを示す説明図である。
【図４Ｃ】傾斜軸の周りで電化製品を傾斜することによって次にどのように電化製品を水平にし得るかを示す説明図である。
【図５】本発明に従ったマウントの異なる実施態様を示す概略図である。
【発明を実施するための形態】
【００４９】
図面は純粋に図式的であり原寸に描写されていない。特に明瞭性のために、一部の寸法は強く誇張されている。図面中の類似の構成部品は、可能な限り同じ参照番号によって指し示されている。
【００５０】
図１は、本発明に従ったマウント１０の概略的な平面図を示している。図１に示されるようなマウント１０は、ベース３０を含み、ベース３０は、孔の形態の接続手段５０を含み、例えば、マウント１０を壁１００に固定するために（図２を参照）、孔を通じて締結具（図示せず）を適用し得る。壁１００の表面１００に取り付けられるとき、ベース３０は、電化製品２０（図２を参照）の重量を表面１００の一部に亘って或いはスタンドに分配する。特に、電化製品２０がフラットパネルディスプレイ装置２０又はプラズマディスプレイ装置２０であるときには、電化製品２０の重量は、典型的には、相当である。ベース３０は、取付手段４０を更に含み、取付手段４０は、ベース３０から延びる。取付手段４０は、一種のノブ４０として示されている。ノブ４０は、ベース３０から突出し、マウント１０に取り付けられる電化製品２０の重量を支持するのに十分なほどに強力である。電化製品２０がマウント１０に確実に取り付けられ、電化製品２０の後壁２２（図２を参照）がベース３０と実質的に平行に配置されるように、取付手段４０は電化製品２０の対応する締結手段６０（図４Ｃを参照）と係合するよう構成される。電化製品２０がベース３０に対して実質的に垂直に配置される傾斜軸７０の周りで傾斜されることが許容されるように、締結手段６０は取付手段４０に係合される。
【００５１】
マウント１０に取り付けられるときに電化製品２０を傾斜軸７０の周りで傾斜し得るという事実の故に、表面１００に対するマウント１０の固定は完全に水平である必要はない。電化製品２０がマウント１０に取り付けられた後、電化製品２０を傾斜することによって、マウント１０の水平化に関する如何なる誤差をも容易に矯正し得る。よって、例えば、電化製品２０を表面１００に取り付けることの困難性を実質的に減少し得る。
【００５２】
ベース３０から延びる取付手段４０は、傾斜軸７０に対して実質的に対称に構成される。これは電化製品２０の取付けがマウント１０の向きによって実質的に影響されないことを可能にする。よって、傾斜軸７０の周りに回転される如何なる向きにもマウント１０を配置し、依然として電化製品２０をマウント１０に取り付け得る。ベース３０が壁１００と実質的に平行に配置される限り、並びに、取付手段４０がベース４０から、故に、壁１００から延びる限り、締結手段は取付手段４０と係合可能であり、電化製品２０の安全な取付けを可能にする。係止手段９０がマウント１０に存在し得るとき、マウント１０のこの向きに対する制限を提示し得る。例えば、係止手段９０が締結手段６０にある或いは電化製品２０の後壁２２にある更なる凹部（図示せず）と係合する必要があるよう、係止手段９０を設計し得るので、更なる凹部の配置は、電化製品２０がマウント１０に取り付けられるときに、電化製品２０の好適な向きに対してマウント１０の向きを制限し得る。
【００５３】
電化製品２０は、例えば、液晶ディスプレイ装置２０、有機発光ダイオードディスプレイ装置２０、又は、プラズマディスプレイ装置２０のようなディスプレイ装置２０である。代替的に、電化製品２０は、例えば、オーディオ／ビデオプレーヤ（図示せず）、スピーカシステム（図示せず）、空調装置（図示せず）、コンピュータ（図示せず）、照明装置（図示せず）、又は、他の電化製品２０であり得る。一般的に、表面１００に或いはスタンド（図示せず）に締結されるべき電化製品２０は、相当な重量及び／又は価値を提示する。そのような比較的高重量及び／又は高価値な電化製品２０の締付けは、好ましくは、確実に行われなければならない。よって、壁１００に対する電化製品２０の安全な取付けのために、この重量を表面１００の部分に亘って分散する接続手段５０を有するベース３０の使用が必要とされる。
【００５４】
図１に示されるようなマウント１０の実施態様において、マウント１０は、摩擦手段８０を更に含む。電化製品２０を摩擦手段８０に対して比較的剛的に存在させ、よって、電化製品２０の取付けに堅固な感じをもたらすために、これらの摩擦手段８０を使用し得る。例えば、図１に示されるように、摩擦手段８０を取付手段４０からある距離に配置し得る。代替的に、摩擦手段８０は、例えば、摩擦材料、例えば、ゴム又はシリコンの縁のような拡張手段４０の拡張部分の周りに配置される、取付手段４０（図示せず）の一部であり得る。摩擦手段８０の配置は、電化製品２０がマウント１０に取り付けられるときに電化製品２０が摩擦手段８０に対して位置するようであり得る。電化製品２０と摩擦手段８０との間の接触の故に、摩擦手段８０は電化製品２０にその現在位置を実質的に維持させる。
【００５５】
電化製品２０がマウント１０に取り付けられるときに、電化製品２０を調節し且つ／或いは水平化するときに、電化製品２０がベース３０を引っ掻くのを防止するために、摩擦手段８０は（図２に示されるように）ベース３０から少なくとも部分的に拡張し得る。そのような実施態様において、摩擦手段８０は、電化製品２０を傷付けないための安全予防手段であり得る。
【００５６】
図１に示されるようなマウント１０は、締結手段６０が取付手段４０に係合されるときに電化製品２０を係止するための係止手段９０を更に含む。係止手段８９０は、例えば、係止位置に嵌り込み且つレバー９５を使用して解放し得る取り外し可能なラッチ９０であり得る。係止手段９０の利益は、電化製品２０が取付手段２０から単に抜け落ち得ることを防止する追加的な予防手段を提供することである。特に電化製品２０のために、そのような電化製品２０のコストは、典型的には、相当である。係止手段９０を追加することによって、マウント１０を壁１００に適用する容易性を維持しながら、電化製品２０の安全な取付けが改良される。
【００５７】
係止手段９０を係止又は解除するために鍵（図示せず）が必要とされるよう係止手段９０を構成し得る。そのような実施態様を盗難防止として有益に使用し得る。鍵は錠（ロック）に嵌入するハードウェア鍵であり得る。代替的に、鍵は、例えば、電化製品２０を解放するために、電化製品２０のリモコンを介して入力されるべきコードであってもよい。間違ったコードが入力される場合には、警報を作動し得る。
【００５８】
マウント１０は、例えば、電化製品２０に電力及び／又はデータストリームをもたらすための接続部（図示せず）を含み得る。そのようにして、マウント１０を壁１００に適用し、マウント１０内に全ての電気接続部を提供し得る。電化製品２０をマウント１０に接続するために極めて短いケーブル（図示せず）だけが必要とされ、それは電化製品２０のコストを削減し、多くのケーブルを回避することによって、取り付けられる電化製品２０の美的外観を向上する。
【００５９】
マウント１０をスタンド（図示せず）にも接続し得る。電化製品２０をテーブル（図示せず）又はフロア錠に配置し得るように、スタンドは電化製品２０に接続されるよう概ね配置される。そのようなスタンドは比較的一般的であり、当該技術分野において周知である。本発明に従ったマウント１０を含むスタンドの利益は、スタンドが不均一な表面に位置し得るときにも、マウントが電化製品２０の向きを調節することを可能にすることである。これが電化製品２０を置くのに安全な場所であるか否かは、この関係で議論はないが、不均一な表面の上に電化製品２０を置いた後には、傾斜軸７０の周りで電化製品２０を傾斜することによって、電化製品２０を水平化し得る。
【００６０】
図２は、本発明に従ったマウント１０を介して壁１００に取り付けられたときの電化製品２０の概略的な断面図を示している。図２に示されるような実施態様において、締結手段６０は、電化製品２０の後壁２２にある凹部６０によって構成されている。そのような実施態様では、取付手段４０が凹部６０内に嵌入し、電化製品２０が壁１００に極めて近接して取り付けられるのを実質的に十分に可能にするよう、凹部６０を選択し得る。既知のマウントは、幾つかの別個の素子から構成され、それらが組み立てられるとき、それらは電化製品２０を表面１００から相当な距離でフラットパネルディスプレイ装置２０の形状に配置する。これは好適ではない。何故ならば、それは人目に付くマウント１０をもたらすからである。更に、そのような相当な距離は、フラットパネルディスプレイ装置２０の利点の一部を取り去る。セット製造者は、フラットパネルディスプレイ装置を可能な限り薄く製造するためにあらゆる努力を適用するからである。既知のマウントを使用することは、この効果の十分な利益をもたらさない。何故ならば、既知のマウントはフラットパネルディスプレイ装置２０を壁１００から相当な距離で締付け、ディスプレイが依然として比較的厚く見えさせる。本発明に従ったマウント１０を適用するとき、特にフラットパネルディスプレイ装置２０のハウジングの後壁２２内の凹部６０である締結手段６０を使用するときには、フラットパネルディスプレイ装置２０の後壁２２と壁１００との間の距離を相当に削減し、２０ミリメートル未満であり得るし、１６ミリメートル以下ですらあり得る。
【００６１】
図３Ａは、電化製品２０を取り付けるためのツールキット２００を示している。ツールキット２００は、マウント１０と、ネジ並びにナット及びボルトのような固定手段（図示せず）又は締結具とを含む。ツールキット２００は、ポスター１２０を更に含む。ポスター１２０は、電化製品２０及び電化製品２０に関する固定手段の所要場所の両方の輪郭を含む。この輪郭は使用者が電化製品２０に関する固定手段のために表面１００上の固定地点１３０の場所を決定することを可能にする。好ましくは、電化製品２０が壁１００にある選択場所にどのように適合するかについての表示を使用者にもたらすために原寸輪郭を使用し得るよう、ポスター１２０上の電化製品２０の輪郭は、電化製品２０の原寸輪郭である。このツールキット１００の利益は、それが表面１００、例えば、壁１００への電化製品２０の取付けを更に簡略化することである。ポスター１２０は電化製品２０及び電化製品２０に関する固定手段の所要場所１３０の両方の原寸輪郭を含むので、使用者は、電化製品２０が位置付けられるべき場所で、壁１００にポスター１２０を一時的に単に貼り付け得る。例えば、テープを使用して、ポスター１２０を壁１００に貼り付け得る。代替的に、ポスター１２０は、例えば、ポスター１２０を壁１００に一時的に貼り付けるために使用し得るその隅部に、取外し可能な接着剤を含み得る。ポスター１２０を使用して、ある距離から且つ／或いは部屋の他の場所から見るときにも、使用者は選択位置が実際に正しい位置であるか否かを確認し得る。現在のポスター１２０位置で表示される電化製品２０のための提案場所が良くないか或いは改良されるべきであるならば、ポスター１２０を異なる場所に移動し得るし、或いは、ポスター１２０の場所を適合し得る。そのようにして、使用者は電化製品２０が選択位置にどのように適合するかの良好な表示を取得し、よって、壁１００に孔を穿孔する前に、電化製品２０をどこに取り付けるかの良好な選択を行うことができる。特に電化製品２０がフラットパネルディスプレイ装置２０であるときには、フラットパネルディスプレイ装置２０が壁１００に取り付けられるべき位置は、注意深く選択されなければならず、フラットパネルディスプレイ装置を部屋の異なる位置からどれぐらい十分に見ることができるかに依存し得る。現在のポスター１２０の位置が電化製品２０の所要位置を表すことに使用者又は複数の使用者が同意するや否や、使用者は、例えば、ポスター１２０上に表示される場所に孔を切り込むことによって、固定手段の所要場所１３０に単に印を付け、そして、壁上の場所１３５に印を付けなければならない。代替的に、ポスター１２０は所要場所１３０に既に孔１３０を有してもよく、使用者はマーカを用いて壁のこの位置に印１３５を付ければ十分である。印が付けられた位置１３５で、使用者は孔を穿孔し、壁に対してマウント１０を締め付け得る。傾斜軸７０の周りで電化製品２０を傾斜することによって（図２を参照）、マウント１０の如何なる誤整列をも以後に矯正可能である。ポスター１２０によって表示されるような固定手段の場所１３０を使用してマウント１０が壁１００に固定された後、フラットパネルディスプレイ装置２０を壁１００に取り付けるために、電化製品２０の締結手段６０、例えば、フラットパネルディスプレイ装置２０の後壁内の凹部２０を取付手段４０と係合し得る。ポスター１２０を使用して前に記載されたように取り付けられるとき、フラットパネルディスプレイ装置２０の場所はポスター１２０の位置と実質的に等しく、フラットパネルディスプレイ装置２０はポスター１２０によって表示されるのと同じ壁１００の部分を実質的に覆う。
【００６２】
図３Ｂ及び３Ｃは、電化製品２０を取り付けるために、ツールキット２００をどのように使用し得るかを示している。図３Ｂにおいて、電化製品２０の正確な位置は、電化製品２０を取り付け得る壁１００に対する場所にポスター１２０を保持することによって選択される。次に、使用者は、図３Ｃに示されるように壁１００上に印１３５を提供するために輪郭付き固定地点１３０を使用し得る。印１３５の場所に孔を生成するためにドリルを使用し得るし、マウント１０を壁１００に固定するために締結具を使用し得る（図４Ａも参照）。
【００６３】
図４Ａ、４Ｂ、及び、４Ｃは、どのようにマウント１０を壁１００に取り付け得るか、どのように電化製品２０をマウント１０に先ず固定し（図４Ｂ）、次に、傾斜軸７０の周りで電化製品２０を傾斜することによって水平化し得るか（図４Ｃ）を示している。締結手段６０は、好ましくは、電化製品２０の後壁２２に配置される凹部６０によって構成される。凹部６０が締結手段６０として使用されるとき、電化製品２０を壁１００に極めて近接して取り付けることができ、締結手段６０が実質的に重心に配置されることを可能にする締結手段６０の正確な場所は工場内でセット製造業者によって前もって決定される。更に、別個の締結手段６０の必要がないので、この実施態様はコストを削減する。
【００６４】
代替的に、締結手段６０は、電化製品２０の後壁２２に別個に適用し得る別個の締結手段６０であってもよく、然る後、締結手段６０を取付手段４０に係合することによって電化製品２０を取り付けるために締結手段６０を使用し得る。電化製品２０の後壁２２にある正しい場所に適用される凹部６０を有さない電化製品２０のためにもマウント１０を使用するとき、そのような別個の締結手段６０は有益であり得る。
【００６５】
図５は、本発明に従ったマウント１０，１２，１４の異なる実施態様を示している。図５に示されるような異なる実施態様のマウント１０，１２，１４の間の相違は、ベース３０，３２，３４のサイズが異なり、ベース３０，３２，３４を壁に接続するための接続手段５０の数が異なることである。図の中心に表示されるようなマウント１０は、例えば、３２インチのフラットパネルディスプレイ装置２０を壁１００に取り付けるために必要とされる。より大きなフラットパネルディスプレイ装置２０、例えば、４２インチのフラットパネルディスプレイ装置を取り付ける必要があるときには、増大された数の接続手段５０を有するより大きなマウント１２を必要とし得る。そのようなより大きなフラットパネルディスプレイ装置２０は、典型的には、重くもあり、よって、接続手段５０を通じるより多くの締結具を介して表面１００の部分に亘って分散されるべきより多くの重量を必要とする。しかしながら、２２インチのフラットパネルディスプレイ装置２０だけが壁１００に取り付けられなければならないときには、より小さなマントで十分であり得る。マウント１０，１２，１４の各々は、ベース３０，３２，３４から延びる延長部としての取付手段４０を含み、マウント１０，１２，１４の各々は、電化製品２０を傾斜位置に維持するための摩擦手段８０を含む。更に、マウント１０，１２，１４の各々は、電化製品２０がマウント１０，１２，１４上に取り付けられるときに電化製品２０を固定するための係止手段９０を含む。
【００６６】
上述の実施態様は本発明を制限するのではなく例証すること、並びに、当業者は付属の請求項の範囲から逸脱せずに多くの代替的な実施態様を設計し得ることが付記されなければならない。
【００６７】
請求項において、括弧の間に配置される如何なる参照記号も請求項を限定するものと解釈されてはならない。「含む」という動詞及びその活用形の使用は、請求項中に述べられる素子及びステップ以外の素子及びステップの存在を排除しない。素子に先行する不定冠詞は、複数のそのような素子の存在を排除しない。幾つかの別個の素子を含むハードウェアを用いて本発明を実施し得る。幾つかの手段を列記する装置の請求項において、１つ且つ同一品目のハードウェアによってこれらの手段の幾つかを具現し得る。特定の手段が相互に異なる従属項中に引用されているという単なる事実は、これらの手段の組み合わせを有利に使用し得ないことを示さない。
【図１】
2012503748.tif 000003
【図２】
2012503748.tif 000004
【図３Ａ】
2012503748.tif 000005
【図３Ｂ】
2012503748.tif 000006
【図３Ｃ】
2012503748.tif 000007
【図４Ａ】
2012503748.tif 000008
【図４Ｂ】
2012503748.tif 000009
【図４Ｃ】
2012503748.tif 000010
【図５】
2012503748.tif 000011
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
電化製品を取り付けるためのマウントであって、
接続手段を含むベースを含み、前記接続手段は、前記ベースを表面に接続し、或いは、前記ベースをスタンドに接続し、前記ベースは、前記電化製品の重量を前記表面の一部に亘って或いは前記スタンドに分配するために構成され、前記ベースは、前記ベースから延びる取付手段を更に含み、
前記取付手段は、前記電化製品を前記ベースと実質的に平行に取り付けるが、前記ベースに対して実質的に垂直な傾斜軸の周りで前記電化製品が傾斜されるのを可能にするために、前記電化製品の対応する締結手段と係合ために配置され、
当該マウントは、前記電化製品が前記取付手段上に係合されるときに前記電化製品を係止するための係止手段を更に含み、前記係止手段は、係止中に前記電化製品の傾斜を許容し続けるよう、前記電化製品内の或いは前記締結手段内の係止凹部と協働するために前記ベースから延びる取外し可能なラッチを含む、
マウント。
【請求項２】
当該マウントは、前記ベースに対する前記傾斜軸の周りでの前記電化製品の所定位置を維持するために配置される摩擦手段を更に含む、請求項１に記載のマウント。
【請求項３】
前記ベースから延びる前記取付手段は、前記傾斜軸に対して回転対称に構成される、請求項１又は２に記載のマウント。
【請求項４】
当該マウントは、前記電化製品に電力及び／又はデータストリームを提供するための接続部を含む、請求項１乃至３のうちのいずれか１項に記載のマウント。
【請求項５】
前記ベースの前記接続手段は、複数の孔を含み、該複数の孔は、固定手段が前記孔を通過し、且つ、前記ベースを前記表面又は前記スタンドに固定するために前記表面又は前記スタンドに固定されることを可能にする、請求項１乃至４のうちのいずれか１項に記載のマウント。
【請求項６】
電化製品を支持するためのスタンドであって、当該スタンドは、請求項１乃至５のうちのいずれか１項に記載のマウントを含む、スタンド。
【請求項７】
電化製品のための締結手段であって、当該締結手段は、請求項１乃至５のうちのいずれか１項に記載のマウントと係合するよう構成され、或いは、請求項６に記載のスタンドに取り付けられる前記マウントと係合するよう構成され、当該締結手段は、係止中に前記電化製品の前記傾斜を許容し続けるよう前記マウントの前記取外し可能なラッチと協働するための係止凹部を含む、締結手段。
【請求項８】
当該締結手段は、前記取付手段にフックで引っ掛かることによって前記取付手段に係合するよう構成される、請求項７に記載の締結手段。
【請求項９】
当該締結手段は、前記電化製品内の凹部を含む、請求項７又は８に記載の締結手段。
【請求項１０】
当該締結手段は、前記取付手段が前記ベースと実質的に平行な方向に所定の長さに沿って前記締結手段を通じて摺動することを可能にするスリットを含む、請求項７、８、又は、９に記載の締結手段。
【請求項１１】
請求項７乃至１０のうちのいずれか１項に記載の締結手段を含む電化製品であって、当該電化製品又は前記締結手段は、係止中に前記電化製品の前記傾斜を許容し続けるよう前記マウントの前記取外し可能なラッチと協働するための係止凹部を含む、電化製品。
【請求項１２】
電化製品を表面に取り付けるためのツールキットであって、
−  請求項１乃至５のうちのいずれか１項に記載のマウントと、
−  前記マウントを前記表面に締結するための固定手段と、
−  ポスターとを含み、該ポスターは、使用者が前記電化製品に関する前記固定手段のための前記表面上の固定地点の場所を決定するのを可能にするために、前記電化製品及び前記電化製品に関する固定手段の所要場所の両方の輪郭を含む、
ツールキット。
【請求項１３】
請求項１乃至５のうちのいずれか１項に記載のマウントを介して電化製品を表面に取り付けるための方法であって、
−  前記電化製品の輪郭を描く並びに前記マウントを前記表面上に締結するための固定手段の所要場所を示す固定地点の輪郭を描くポスターを使用して、前記電化製品を取り付けるための前記表面上の場所を決定すること、
−  前記決定される場所に前記マウントを締結すること、
−  前記締結手段を前記マウントの前記取付手段と係合することを介して前記電化製品を取り付けること、
−  前記電化製品を前記取付手段上に係合するときに、前記マウントの係止手段を介して前記電化製品を係止すること、及び、
−  前記傾斜軸上で前記電化製品を傾斜することによって前記電化製品の傾斜を適合することを含み、
前記係止手段は、係止中に前記電化製品の前記傾斜を許容し続けるよう前記電化製品内の或いは前記締結手段内の係止凹部と協働するために前記ベースから延びる取外し可能なラッチを含む、
方法。
【手続補正２】
【補正対象書類名】明細書
【補正対象項目名】０００６
【補正方法】変更
【補正の内容】
【０００６】
フラットパネルディスプレイ装置のためのこれらの既知のウォールマウントブラケットの不利点は、フラットパネルディスプレイ装置を正しく取り付けるために、それらが相当な技能を要求することである。
特許出願ＷＯ２００５／０１９７２０Ａ１は、電子制御される軸を含む装置に関し、その軸はモータによって駆動され、その軸の端部に、スクリーンが、取付板の形態で具現化された固定素子の周りで旋回可能であるような方法で配置される軸に対して垂直な方向に取り付けられる。その軸に固定される歯付きホイールに接続されるウォームギアホイールを備える電気モータが取付板上に配置される。軸の回転は端部スイッチを用いて９０度に限定される。端部スイッチの最終信号が軸の実際の回転位置を定めるような方法で、回路が電気モータを制御し、軸がフォーマットに依存して９０度で回転するような方法で、次のイメージのヘッダ内の信号がそのフォーマットを表示する。
特許ＵＳ６８８０２５９Ｂ１は、安価で、再使用可能で、コンパクトな絵画水平化テンプレートを開示しており、その装置の設計は、使用者が、絵画フレーム、シャドーボックス、棚、信号系、又は、無制限な美的組み合わせにおける好適な構成において壁の上に取付けられ得る二次元又は三次元を備えるあらゆる物体を、傾斜壁面と共にあらゆるサイズ又は傾斜の垂直な表面の上に配置することを可能にする。テンプレートは、使用者が絵画フレームをあらゆる垂直表面上で水平及び垂直に水平化し且つ離間するのを助ける複数の水平化ガイドを有する。本発明は、その上に複数の水平化線が記入された平面的な曲げやすい材料と、非剪断接着剤と、非剪断接着剤と共に使用するための気泡レベルとから成る、３部の、安価で、コンパクトなキットであり得る。
特許出願ＥＰ１９０９０２１Ａ２は、第一球形部材と、第二球形部材と、第一及び第二の締付板と、単一の外部ネジ山部材と、第一、第二、第三、及び、第四の締付凹部とを含む接続構造を開示している。
特許出願ＵＳ２００３／０１６０１３８Ａ１は、スタンドと共に使用可能なディスプレイ装置と共に、フラットパネルディスプレイを回転可能且つ解放可能に支持するための調節可能なスタンドを開示している。ディスプレイは、その後部表面から突出するボスを含み、該ボスはスタンドの板部内の円弧形状通路内に受け入れられる。スタンドは、更に、２つの蝶番的に接続される脚と、脚間の角度を制御するための選択的な係止装置とを含み、それによって、スタンドが水平な支持表面に対して様々な向きでディスプレイを保持することを可能にする。
特許ＵＳ３１５５３５８は、支持ブラケットに関し、より具体的には、装置を壁表面に解放可能に取り付けるための調節可能なウォールブラケットに関する。
特許出願ＵＳ２００４／０１１８９８７は、取付板を含む自動車内にフラットパネルディスプレイスクリーンを取り付けるための装置を開示している。少なくとも１つの摩擦ヒンジは、取り付けられたディスプレイスクリーンを備える取付板が、支持表面と実質的に平行な第一旋回軸について、ダッシュボード又は他の支持表面と様々な角度関係を有する多くの構成のうちのいずれか１つに回転され、旋回され、或いは、類似動作されることを可能にする。取付板は、複数の締結具開口を有し、それによって、ディスプレイパネルを複数の場所で支持するよう構成される。
【国際調査報告】
2012503748.tif 000012
2012503748.tif 000013
2012503748.tif 000014